(57)【要約】【課題】ワイヤーハーネスの十字状部分を、簡単で迅速に結束作業が行え、結束状態を長期に亘って安定維持できるものとなるよう、改善された十字結束構造を提供する。【解決手段】合成樹脂製のバンド主部３２の基端に、これの先端３２ａから挿通させて抜け止め状に係止させる挿通係止孔３３ａを有するロック部３３が一体に連設された結束バンドＶ２と、十字結束用バンドＶ１とを用いて、ワイヤーハーネスＷの十字状部分Ｂを十字結束するに当たり、結束バンドＶ２のバンド主部３２を十字結束用バンドＶ１の挿通孔７に通して、バンド主部２を十字状部分Ｂの隅角部ｓｋ１，ｓｋ３どうしに亘る状態で巻回させて対応する挿通係止孔３ａに通して結束し、かつ、結束バンドＶ２のバンド主部３２を、残りの対向する隅角部ｓｋ２，ｓｋ４どうしに亘る状態で巻回させて対応する挿通係止孔３３ａに通して結束する十字結束構造。【選択図】図８
2006149014.tif 000002
【特許請求の範囲】
【請求項１】
可撓性を有するバンド主部と、このバンド主部をその先端から挿通させて抜け止め状に係止させる挿通係止孔を有して前記バンド主部の基端に連設されるロック部と、前記バンド主部における長手方向の中間部又は前記ロック部側部に一体化されるターミナル部とを有し、前記ターミナル部は、前記バンド主部とは別のバンド主部を通すための挿通孔と、結束対象における十字状又は略十字状に枝分かれ若しくは交差する十字状部分にあてがわれる当接部とを有するとともに、前記挿通孔は、前記バンド主部の長手方向に交差する方向に前記ターミナル部を貫通する孔に形成されている十字結束用バンド。
【請求項２】
前記挿通孔の向きが、前記バンド主部の長手方向と直交又はほぼ直交する方向に設定されている請求項１に記載の十字結束用バンド。
【請求項３】
前記ターミナル部に、結束対象を支持部材に係止するためのクランプ部が設けられている請求項１又は２に記載の十字結束用バンド。
【請求項４】
可撓性を有するバンド主部と、このバンド主部をその先端から挿通させて抜け止め状に係止させる挿通係止孔を有して前記バンド主部の基端に連設されるロック部と、前記バンド主部の長手方向で中間部にその長手方向と交差する方向に伸びる第二のバンド主部が一体形成されるとともに、前記第二のバンド主部の一端には、その第二のバンド主部の他端から挿通させて抜け止め状に係止させる挿通係止孔を有する第二のロック部が形成されている十字結束バンド。
【請求項５】
前記バンド主部と前記第二のバンド主部とが互いに直交又はほぼ直交する状態に構成されている請求項４に記載の十字結束バンド。
【請求項６】
前記バンド主部と前記第二のバンド主部との枝分かれ箇所に、結束対象を支持部材に係止するためのクランプ部が設けられている請求項４又は５に記載の十字結束バンド。
【請求項７】
可撓性を有するバンド主部の基端に、前記バンド主部をその先端から挿通させて抜け止め状に係止させる挿通係止孔を有したロック部が一体に連設されて成る結束バンドと、請求項１〜３の何れか一項に記載の十字結束用バンドとを用いて、結束対象における十字状又は略十字状に枝分かれ若しくは交差する十字状部分を十字結束するに当たり、
前記結束バンドのバンド主部を前記挿通孔に通した状態で、前記バンド主部と前記結束バンドのバンド主部との一方を、前記十字状部分に形成される四箇所の隅角部のうちの対向する隅角部どうしに亘る状態で前記結束対象に巻回させて対応する前記挿通係止孔に通して結束し、かつ、前記バンド主部と前記結束バンドのバンド主部との他方を、前記四箇所の隅角部のうちの残りの対向する隅角部どうしに亘る状態で前記結束対象に巻回させて対応する前記挿通係止孔に通して結束してある十字結束構造。
【請求項８】
請求項４〜６の何れか一項に記載の十字結束バンドを用いて、結束対象における十字状又は略十字状に枝分かれ若しくは交差する十字状部分を十字結束するに当たり、
前記バンド主部と前記第二のバンド主部との一方を、前記十字状部分に形成される四箇所の隅角部のうちの対向する隅角部どうしに亘る状態で前記結束対象に巻回させて対応する前記挿通係止孔に通して結束し、かつ、前記バンド主部又は前記結束バンドのバンド主部の他方を、前記四箇所の隅角部のうちの残りの対向する隅角部どうしに亘る状態で前記結束対象に巻回させて対応する前記挿通係止孔に通して結束してある十字結束構造。
【請求項９】
可撓性を有するバンド主部の基端に、前記バンド主部をその先端部から挿通させて抜け止め状に係止させる挿通係止孔を有したロック部が一体に連設されて成る結束バンドの前記バンド主部を、請求項１〜３の何れか一項に記載の十字結束用バンドの前記挿通孔に通すバンド挿通工程と、
前記バンド挿通工程の後に、前記バンド主部と前記結束バンドのバンド主部との一方を、結束対象における十字状又は略十字状に枝分かれ若しくは交差する十字状部分に形成される四箇所の隅角部のうちの対向する隅角部どうしに亘る状態で前記結束対象に巻回させて対応する前記挿通係止孔に通して結束させる第１結束工程と、
前記第１結束工程の後に、前記バンド主部と前記結束バンドのバンド主部との他方を、前記四箇所の隅角部のうちの残りの対向する隅角部どうしに亘る状態で前記結束対象に巻回させて対応する前記挿通係止孔に通して結束させる第２結束工程と、から成る十字結束方法。
【請求項１０】
前記結束対象が、複数の電線の集合で成るワイヤーハーネスであり、前記十字状部分は、前記ワイヤーハーネスが十字状に分岐若しくは交差される箇所である請求項１〜３の何れか一項に記載の十字結束用バンド、又は請求項４〜６の何れか一項に記載の十字結束バンド、又は請求項７若しくは８に記載の十字結束構造、又は請求項９に記載の十字結束方法。
【発明の詳細な説明】
【技術分野】
【０００１】
本発明は、ワイヤーハーネス等の結束対象における十字状又は略十字状に枝分かれ若しくは交差する十字状部分を十字結束状態に保持するのに好適に使用できる十字結束構造や、これに好適に用いられる十字結束用バンドや十字結束バンド、並びに十字結束方法に関するものである。
【背景技術】
【０００２】
結束対象の一例として、例えば、各種産業機械や自動車に用いられるワイヤーハーネスが挙げられ、このワイヤーハーネスにおいては、多数の電線をばらけないように束ねるために、適宜の長さ毎に結束バンドを用いて結束されている。この場合、Ｔ字状に枝分かれ配線される箇所をしっかりと結束するには、特許文献１や２に示されたワイヤーハーネス分岐部用結束バンドを用いる。また、特許文献３には、バンド主部のロック部への挿入操作が容易化されるように改良されたワイヤーハーネス分岐部用結束バンドが示されている。これらの分岐部用結束バンドにより、ワイヤーハーネスにおける三方に枝分かれする分岐部を良好に結束状態に保持できるようになっている。
【０００３】
近年のワイヤーハーネスにおいては、電気設備や電子機器の増大により、益々肥大化、長大化してきており、上記分岐部としては、主ハーネス部から三方に枝分かれするとか、一対のワイヤーハーネス部分が立体交差する等、十字状に枝分かれ若しくは交差するものも増えてきている。そのような十字状部分には、前述のワイヤーハーネス分岐部用結束バンドは使用できないので、従来ではテープ（ビニールテープ、シリコンテープ等の粘着テープ）を十字状に巻付けて束ねる、という人為作業によるテープ巻付けを行い、十字状部分を実質的に結束状態にして維持するようにしていた。
【０００４】
しかしながら、テープを巻いて結束状態を維持させる手段では、テープをワイヤーハーネスに巻付ける操作が多数回必要であり、１回の巻付け操作で済む結束バンドによる結束作業に比べて時間や労力が掛かるとともに、熟練度が必要とされる。また、結束作業をし易くするために、基板に植設された多数のＹ字状治具にワーヤーハーネスを仮支持させて、少しワイヤーハーネスを持上げた状態とする結束治具手段を用いる場合において、十字状部分にテープを巻くには、その部分を一旦Ｙ字状治具から上方に外すために大きく持上げねばならず、その持上げ操作が面倒で煩わしいとともに、その際に枝分かれ箇所や交差箇所がずれ動いてしまう不都合が生じ易いという問題もあった。
【０００５】
加えて、一般的な合成樹脂製のテープは、クリープ変形したり粘着剤が劣化する等、比較的経時変化が起こり易く、時間経過に伴って十字状部分の結束状態が不安定になったり緩んだりすることがあり、耐久性（信頼性）にはやや難がある。このように、ワイヤーハーネスの十字状部分を結束するに関しては改善の余地が残されているものであった。
【特許文献１】実開昭６３−９７２７９号公報
【特許文献２】実開平６−６５６８２号公報
【特許文献３】特開２００４−１５９５１号公報
【発明の開示】
【発明が解決しようとする課題】
【０００６】
本発明の目的は、上記のような実情に鑑みることにより、ワイヤーハーネス等の結束対象における十字状部分を、簡単で迅速に結束作業が行え、結束状態を長期に亘って安定維持できるものとなるよう、改善された十字結束構造を提供する点にある。また、その十字結束構造に好適な十字結束用バンドや十字結束バンド、或いは十字結束方法を提供することも目的とする。
【課題を解決するための手段】
【０００７】
請求項１に係る発明は、十字結束用バンドにおいて、可撓性を有するバンド主部２と、このバンド主部２をその先端２ａから挿通させて抜け止め状に係止させる挿通係止孔３ａを有して前記バンド主部２の基端に連設されるロック部３と、前記バンド主部２における長手方向の中間部又は前記ロック部側部に一体化されるターミナル部１とを有し、前記ターミナル部１は、前記バンド主部２とは別のバンド主部３２を通すための挿通孔７と、結束対象Ｗにおける十字状又は略十字状に枝分かれ若しくは交差する十字状部分Ｂにあてがわれる当接部４とを有するとともに、前記挿通孔７は、前記バンド主部２の長手方向に交差する方向に前記ターミナル部１を貫通する孔に形成されていることを特徴とするものである。
【０００８】
請求項２に係る発明は、請求項１に記載の十字結束用バンドにおいて、前記挿通孔７の向きが、前記バンド主部２の長手方向と直交又はほぼ直交する方向に設定されていることを特徴とするものである。
【０００９】
請求項３に係る発明は、請求項１又は２に記載の十字結束用バンドにおいて、前記ターミナル部１に、結束対象Ｗを支持部材２１に係止するためのクランプ部１Ｂが設けられていることを特徴とするものである。
【００１０】
請求項４に係る発明は、十字結束バンドにおいて、可撓性を有するバンド主部４２と、このバンド主部４２をその先端４２ａから挿通させて抜け止め状に係止させる挿通係止孔３ａを有して前記バンド主部２の基端に連設されるロック部３と、前記バンド主部２の長手方向で中間部にその長手方向と交差する方向に伸びる第二のバンド主部５２が一体形成されるとともに、前記第二のバンド主部５２の一端には、その第二のバンド主部５２の他端５２ａから挿通させて抜け止め状に係止させる挿通係止孔３ａを有する第二のロック部３が形成されていることを特徴とするものである。
【００１１】
請求項５に係る発明は、請求項４に記載の十字結束バンドにおいて、前記バンド主部４２と前記第二のバンド主部５２とが互いに直交又はほぼ直交する状態に構成されていることを特徴とするものである。
【００１２】
請求項６に係る発明は、請求項４又は５に記載の十字結束バンドにおいて、前記バンド主部４２と前記第二のバンド主部５２との枝分かれ箇所に、結束対象Ｗを支持部材２１に係止するためのクランプ部１Ｂが設けられていることを特徴とするものである。
【００１３】
請求項７に係る発明は、十字結束構造において、可撓性を有するバンド主部３２の基端に、前記バンド主部３２をその先端３２ａから挿通させて抜け止め状に係止させる挿通係止孔３３ａを有したロック部３３が一体に連設されて成る結束バンドＶ２と、請求項１〜３の何れか一項に記載の十字結束用バンドＶ１とを用いて、結束対象Ｗにおける十字状又は略十字状に枝分かれ若しくは交差する十字状部分Ｂを十字結束するに当たり、
前記結束バンドＶ２のバンド主部３２を前記挿通孔７に通した状態で、前記バンド主部２と前記結束バンドＶ２のバンド主部３２との一方２を、前記十字状部分Ｂに形成される四箇所の隅角部ｓｋ１〜ｓｋ４のうちの対向する隅角部ｓｋ１，ｓｋ３どうしに亘る状態で前記結束対象Ｗに巻回させて対応する前記挿通係止孔３ａに通して結束し、かつ、前記バンド主部２と前記結束バンドＶ２のバンド主部３２との他方３２を、前記四箇所の隅角部ｓｋ１〜ｓｋ４のうちの残りの対向する隅角部ｓｋ２，ｓｋ４どうしに亘る状態で前記結束対象Ｗに巻回させて対応する前記挿通係止孔３３ａに通して結束してあることを特徴とするものである。
【００１４】
請求項８に係る発明は、十字結束構造において、請求項４〜６の何れか一項に記載の十字結束バンドＡを用いて、結束対象Ｗにおける十字状又は略十字状に枝分かれ若しくは交差する十字状部分Ｂを十字結束するに当たり、
前記バンド主部４２と前記第二のバンド主部５２との一方４２を、前記十字状部分Ｂに形成される四箇所の隅角部ｓｋ１〜ｓｋ４のうちの対向する隅角部ｓｋ１，ｓｋ３どうしに亘る状態で前記結束対象Ｗに巻回させて対応する前記挿通係止孔３ａに通して結束し、かつ、前記バンド主部４２又は前記結束バンドのバンド主部５２の他方５２を、前記四箇所の隅角部ｓｋ１〜ｓｋ４のうちの残りの対向する隅角部ｓｋ２，ｓｋ４どうしに亘る状態で前記結束対象Ｗに巻回させて対応する前記挿通係止孔３ａに通して結束してあることを特徴とするものである。
【００１５】
請求項９に係る発明は、十字結束方法において、可撓性を有するバンド主部３２の基端に、前記バンド主部３２をその先端部３２ａから挿通させて抜け止め状に係止させる挿通係止孔３３ａを有したロック部３３が一体に連設されて成る結束バンドＶ２の前記バンド主部３２を、請求項１〜３の何れか一項に記載の十字結束用バンドＶ１の前記挿通孔７に通すバンド挿通工程と、
前記バンド挿通工程の後に、前記バンド主部２と前記結束バンドＶ２のバンド主部３２との一方２を、結束対象Ｗにおける十字状又は略十字状に枝分かれ若しくは交差する十字状部分Ｂに形成される四箇所の隅角部ｓｋ１〜ｓｋ４のうちの対向する隅角部ｓｋ１，ｓｋ３どうしに亘る状態で前記結束対象Ｗに巻回させて対応する前記挿通係止孔３ａに通して結束させる第１結束工程と、
前記第１結束工程の後に、前記バンド主部２と前記結束バンドＶ２のバンド主部３２との他方３２を、前記四箇所の隅角部ｓｋ１〜ｓｋ４のうちの残りの対向する隅角部ｓｋ２，ｓｋ４どうしに亘る状態で前記結束対象Ｗに巻回させて対応する前記挿通係止孔３３ａに通して結束させる第２結束工程と、から成ることを特徴とするものである。
【００１６】
請求項１０に係る発明は、請求項１〜３の何れか一項に記載の十字結束用バンドＶ１、又は請求項４〜６の何れか一項に記載の十字結束バンドＡ、又は請求項７若しくは８に記載の十字結束構造、又は請求項９に記載の十字結束方法において、前記結束対象Ｗが、複数の電線ｒの集合で成るワイヤーハーネスであり、前記十字状部分Ｂは、前記ワイヤーハーネスＷが十字状に分岐若しくは交差される箇所であることを特徴とするものである。
【発明の効果】
【００１７】
請求項１〜３の発明によれば、（イ）十字結束用バンドと、これの挿通孔にバンド主部が挿通される結束バンドとの二部品で構成される十字結束バンドを用いて結束対象の十字状部分を十字結束させる手段である。つまり、ワイヤーハーネス等の結束対象の十字状部分を、十字結束用バンドと結束バンドとを用いて十字結束することができるから、結束作業としてはバンド主部をロック部に挿通して引締め操作するだけで良いとともに、結束を解除するにはバンド主部をロック部から外すかバンド主部を切断するかという簡単な処理で済むものとなる。その結果、十字状部分にテープ巻きしていた従来手段に比べて、簡単で迅速に結束作業が行え、結束状態を長期に亘って安定維持できるものとなるように改善することができる。
【００１８】
請求項１の発明によれば、前記効果（イ）を得るための十字結束用バンドを規定するものであり、別のバンド主部（結束バンドのバンド主部）を挿通自在な挿通孔を有するターミナル部をバンド主部に形成することで、結束バンドとは互いに独立した１個の部品として構成することが可能になり、取り扱いや運搬において有利なものになる。バンド主部が挿通自在であることから、十字結束用バンドに対する結束バンドの位置が自在に調節可能であり、十字状部分に対するロック部並びにバンド主部の位置を調節して、巻付け操作や結束操作が行い易い位置や姿勢に設定できる利点もある。また、十字結束用バンドと結束バンドとはターミナル部において交差し、かつ、その相対位置が定められるようになるので、位置ずれなく安定した十字結束状態が維持されるという利点もある。
【００１９】
請求項２の発明によれば、結束バンドのバンド主部を十字結束用バンドの挿通孔に挿通しさえすれば、十字結束用バンドのバンド主部と結束バンドのバンド主部とが互い直交又はほぼ直交する十字姿勢、即ち十字状部分を結束するに適した姿勢にすることができる。その結果、結束バンドの挿通操作を簡単、確実、迅速に行えるようにしながら良好な十字結束が行えることに寄与する優れた十字結束用バンドを提供することができる。
【００２０】
請求項３の発明によれば、ターミナル部に設けられたクランプ部を用いて、十字結束用バンド、即ち結束対象の十字結束部分を支持部材にクランプさせることが可能になる。それにより、例えば、専用の支持手段を用いて十字結束用バンドを支持部材に支持させる手段に比べて、構造簡単で廉価に、或いはコンパクトに支持させることが可能となる利点がある。
【００２１】
請求項４〜６の発明によれば、（ロ）一対の結束バンドどうしがそれらのバンド主部において一体化されたような十字形状を呈する十字結束バンド、即ち単一部品である十字結束バンドを用いて結束対象の十字状部分を十字結束させる手段である。つまり、ワイヤーハーネス等の結束対象の十字状部分を、１個の部品である十字結束バンドのみを用いて十字結束することができるから、結束作業としてはバンド主部をロック部に挿通して引締め操作するだけで良いとともに、結束を解除するにはバンド主部をロック部から外すかバンド主部を切断するかという簡単な処理で済むものとなる。その結果、十字状部分にテープ巻きしていた従来手段に比べて、簡単で迅速に結束作業が行え、結束状態を長期に亘って安定維持できるものとなるように改善することができるとともに、単一の部品であるから取り扱いや運搬においても有利である。
【００２２】
請求項５の発明によれば、バンド主部と第二のバンド主部とが予め互いに直交又はほぼ直交となる十字姿勢に形成されているから、バンド主部を十字状態にセットする一切の操作を伴うことなく結束対象の十字状部分を結束するに適した姿勢を得ることができる。その結果、単に十字結束バンドを所定位置に移動するだけで、良好な十字結束が行える優れた十字結束バンドを提供することができる。
【００２３】
請求項６の発明によれば、バンド主部と第二のバンド主部との枝分かれ箇所に設けられたクランプ部を用いて、十字結束バンドを、即ち結束対象の十字結束部分を支持部材にクランプさせることが可能になる。それにより、例えば、専用の支持手段を用いて十字結束バンドを支持部材に支持させる手段に比べて、構造簡単で廉価に、或いはコンパクトに支持させることが可能となる利点がある。
【００２４】
請求項７の発明によれば、請求項１〜３に記載の十字結束用バンドを用いて結束対象の十字状部分を結束させる十字結束構造を規定するものであり、十字状部分に形成される四箇所の隅角部のうちの対向する隅角部どうしに亘る状態で十字結束用バンドのバンド主部と結束バンドのバンド主部とを巻回して結束させることにより、前記効果（イ）を得ることができる。この場合、結束バンドとしては既知のものを使用することができるので、新たに作成するものを十字結束用バンドのみとして、十字結束に要するコストの廉価化が可能となる利点がある。
【００２５】
請求項８の発明によれば、請求項４〜６に記載の十字結束バンドを用いて結束対象の十字状部分を結束させる十字結束構造を規定するものであり、十字状部分に形成される四箇所の隅角部のうちの対向する隅角部どうしに亘る状態でバンド主部と第二のバンド主部とを巻回して結束させることにより、前記効果（ロ）を得ることができる。この場合、結束に要する手段としては単一の部品である十字結束バンドのみで済むので、十字結束に要するコストの廉価化が可能となる利点もある。
【００２６】
請求項９の発明によれば、バンド挿通工程と、第１結束工程と、第２結束工程とを行う十字結束方法により、請求項７の発明による前記効果が奏せられる十字結束方法を得ることができる。
【００２７】
請求項１０の発明によれば、複数の電線群で成るワイヤーハーネスにおける十字状部分を十字結束するに好適な十字結束用バンド、十字結束バンド、十字結束構造、或いは十字結束方法を得ることができる。
【発明を実施するための最良の形態】
【００２８】
以下に、本発明による結束対象分岐部の十字結束構造及び十字結束方法、並びにそれに用いる十字結束バンドの実施の形態について、図面を参照しながら説明する。各実施例においては、結束対象の一例としてワイヤーハーネスを、また、結束対象における十字状又は略十字状に枝分かれ若しくは交差する十字状部分の一例としては、ワイヤーハーネスの十字状部分を挙げて説明する。
【００２９】
〔実施例１〕
実施例１による十字結束バンドＡは、図１に示すように、十字結束用バンドＶ１と、この十字結束用バンドＶ１の挿通孔に通される結束バンドＶ２との二部品で構成され、ワイヤーハーネスＷの十字状部分Ｂ（図８，９参照）を十字結束する部品として用いられる。十字状部分Ｂは、電線ｒの立体交差箇所において互いに二股分岐することで形成されているが、一群の電線ｒが互いに逆向きに二股分岐するとか、三股状に枝分かれ、又は電線ｒの立体交差箇所という構造でも良い。
【００３０】
十字結束用バンドＶ１は、図１〜図６に示すように、可撓性を有するバンド主部２と、バンド主部２をその先端２ａから挿通させて抜け止め状に係止させる挿通係止孔３ａを有してバンド主部２の基端に連設されるロック部３と、バンド主部２における長手方向の中間部（又はロック部３側部）に一体化されるターミナル部１とを有して構成される合成樹脂（ナイロン、ポリプロピレン等の可撓性を有する合成樹脂）材製のものである。バンド主部２は、ロック部３とターミナル部１との間の基端部分２ｋと、ターミナル部１より先端側の先端部分２ｓと、後述する当接部４とから構成されている。先端部分２ｓの先端部が前記先端２ａである。
【００３１】
ターミナル部１は、バンド主部２とは別のバンド主部３２を通すための挿通孔７と、ワイヤーハーネスＷの十字状部分Ｂにあてがわれる当接部４とを有するとともに、挿通孔７は、その向きがバンド主部２の長手方向と直交する方向に設定されている。なお、挿通孔７の向きは、バンド主部２の長手方向に交差する方向であれば、直交でなくても良い場合もあるし、例えば、直交とその前後１５度の範囲で交差角が任意に設定できる幅の広い挿通孔、又は開口端側ほど幅が広く、中央部で最も幅が狭くなる略鼓形の挿通孔でも良い。
【００３２】
ターミナル部１について詳述すると、図１〜図４に示すように、挿通本体１Ａと、これの下側に一体に連設されるクランプ部１Ｂとを有して構成されている。挿通本体１Ａは、バンド主部を兼ねる上円形壁（当接部の一例）４、下円形壁５と、これら上下の円形壁４，５を連結一体化する一対の支柱部６，６とから成り、これら上下の円形壁４，５及び一対の支柱部６，６とで囲まれた部分が、結束バンドＶ２を通すための挿通孔７に形成されている。上円形壁４の上面は、ワイヤーハーネスＷにおける十字状又は略十字状に枝分かれする十字状部分Ｂにあてがわれる当接部［図２（ｂ）参照］として機能する。
【００３３】
クランプ部１Ｂは、下円形壁５の下側に連続して形成されるスカート部８と、これから下方に突設される支持部９と、支持部９に片持ち支持される一対の係合片１０，１０とから構成されている。スカート部８は、外周側がやや下方に湾曲され、かつ、平面視で円形壁４，５よりも径の大きい円形の形状に形成されている。支持部９は、スカート部８の中央部分から垂下された正面視形状が略Ｕ字状［図３（ａ）参照］のものであり、その下端横臥部分９ａの前側及び後側の夫々から係合片１０が片持ち状で立設されている。また、支持部９の下端部は先細りとなるように形成されている。係合片１０は、その上端が側面視で階段状［図４（ａ）参照］に形成され、かつ、その大部分が支持部９の前縁９ｂからは前に、そして、後縁９ｃからは後に食み出す状態［図４（ａ）参照］で片持ち支持されている。つまり、各係合片１０は、支持部９との接続部分を支点として前後揺動するような状態で弾性変形可能に支持されている。
【００３４】
クランプ部１Ｂは、十字結束用バンドＶ１を固定部材に嵌め込んで係止させるためのものであり、例えば、図６に示すように、自動車の内装板（支持部材の一例）２１に形成された装着孔２３にクランプさせる。即ち、係合片１０を内側に弾性変形させるながら支持部９を装着孔２３に押し込み、係合片１０の上端と弾性変形するスカート部８との間に内装板２１を挟み込むことで、十字結束用バンドＶ１を内装板２１に係止させることができる。尚、クランプ部１Ｂとしては上記の構造、形状のものに限定されず、種々の別構造、形状のものを採用することが可能である。
【００３５】
この場合、図６の左側に描いたように、内装板２１の板厚が薄いときには、係合片１０の最上端部１０ａとスカート部８との間で内装板２１が挟持され、図６の右側に描いたように、板厚が厚い内装板（支持部材の一例）２２のときには、係合片１０の段差部１０ｂとスカート部８との間で内装板２２が挟持される状況となる。つまり、係合片１０上端部の段差構造と、弾性変形するスカート部８との協働により、複数種類の厚みの内装板２１，２２でも不都合なく係合できて、しっかりと係止固定できるように工夫されている。
【００３６】
挿通孔７に挿通自在なバンド主部３２を持つ結束バンドＶ２は、ナイロン、ポリプロピレン等の可撓性を有する合成樹脂材製のバンド主部３２の基端に、バンド主部３２をその先窄まり状の先端３２ａから挿通して抜け止め状に係止させる挿通係止孔３３ａを有したロック部３３が一体に連設されて成る公知のバンドである。なお、バンド主部３２は、十字結束用バンドＶ１における当接部４を除くバンド主部２と同様の構成であり、ロック部３３は十字結束用バンドＶ１のロック部３と同一のものである。
【００３７】
次に、実施例１による十字結束バンドＡを用いて、多数の電線ｒの集合体であるワイヤーハーネスＷの十字状部分Ｂを十字結束する結束方法（手順）について説明する。図８や図９に示す十字状部分Ｂは、まず、十字結束用バンドＶ１と結束バンドＶ２とを用意し、結束バンドＶ２のバンド主部３２を十字結束用バンドＶ１のターミナル部１の挿通孔７に通して、図１に示すように、これら２部品で成る十字結束バンドＡを作成すべくバンド挿通工程を行う。このバンド挿通工程は、実際にはワイヤーハーネスＷにおいて存在する十字状部分Ｂの数に対応する組数について行うこととなる。
【００３８】
図７には、基板１１における十字結束用の治具部分が示されており、基板１１上に四角配置状態で植設された四個のＹ字状治具１２と、それらのほぼ中心位置において基板１１に植設されるターミナルスタンド１３とが配備されている。ターミナルスタンド１３の上面には、前述の内装板２１の装着孔２３と同様の装着孔（図示省略）が形成してあり、その装着孔にクランプ部１Ｂを挿入することにより、十字結束用バンドＶ１の挿通孔７に結束バンドＶ１が挿通されて成る十字結束バンドＡを、ターミナルスタンド１３上に仮係止させる装着工程を行う。このとき、図７に仮想線で示すように、結束バンドＶ１を若干量回動移動させ、バンド主部２，３２どうしが正確な直交状態となる十字姿勢に操作しておいても良い。尚、ターミナルスタンド１３としては、装着孔が無く、単に十字結束用バンドＶ１のターミナル１を載置するだけのものでも良い。
【００３９】
次いで、図８に示すように、ワイヤーハーネスＷを基板１１上に移動し、その十字状部分Ｂが丁度ターミナルスタンド１３、つまりはターミナル部１上に位置するように、各ハーネス部分Ｗ１，Ｗ２，Ｗ３，Ｗ４を各Ｙ字状治具１２のＵ字状受部１２Ａに嵌め入れるハーネス仮設置工程を行う。このとき、例として、第１ハーネス部分Ｗ１と第２ハーネス部分Ｗ２との間に形成される第１隅角部ｓｋ１に十字結束用バンドＶ１のバンド主部２が位置し、第２ハーネス部分Ｗ２と第３ハーネス部分Ｗ３との間に形成される第２隅角部ｓｋ２に結束バンドＶ２のロック部３３が位置し、第３ハーネス部分Ｗ３と第４ハーネス部分Ｗ４との間に形成される第３隅角部ｓｋ３に十字結束用バンドＶ１のロック部３が位置し、第４ハーネス部分Ｗ４と第１ハーネス部分Ｗ１との間に形成される第４隅角部ｓｋ４に結束バンドＶ２のバンド主部３２が位置する状態に設置する。尚、ワイヤーハーネスＷの治具１２への設置後に、若干十字状部分Ｂを持上げることにより、十字結束用バンドＶ１をターミナルスタンド１３に係止させることも可能である。
【００４０】
それから、十字結束用バンドＶ１を、第１隅角部ｓｋ１に位置するバンド主部２、及び第３隅角部ｓｋ３に位置するロック部３を共に上方に曲げ変位させて互いに近付け、バンド主部２をその先端側からロック部３の挿通係止孔３ａに挿通させる。つまり、十字状部分Ｂに形成される四箇所の隅角部ｓｋ１〜ｓｋ４のうちの対向する隅角部ｓｋ１，ｓｋ３どうしに亘る状態でワイヤーハーネスＷに巻回して結束させる第１結束工程を行う。十字結束用バンドＶ１の結束が終わると、結束バンドＶ２を、第４隅角部ｓｋ４に位置するバンド主部３２、及び第２隅角部ｓｋ２に位置するロック部３３を共に上方に曲げ変位させて互いに近付け、バンド主部３２をその先端側からロック部３３の挿通係止孔３３ａに挿通させる。つまり、十字状部分Ｂに形成される四箇所の隅角部ｓｋ１〜ｓｋ４のうちの対向する隅角部ｓｋ２，ｓｋ４どうしに亘る状態でワイヤーハーネスＷに巻回して結束させる第２結束工程を行う。
【００４１】
そして、図９に示すように、十字結束用バンドＶ１と結束バンドＶ２の結束後においてロック部３，３３から飛び出しているバンド主部２，３２の余剰部分２ｙ，３２ｙを切り落とす切除工程を行い、十字結束作業が終了する。尚、ターミナルスタンド１３からクランプ部１Ｂを引抜く仮係止状態の解除は、全ての結束作業が終了してワイヤーハーネスＷを基板１１から取出す際に行われるようになるが、バンド余剰部分２ｙ，３２ｙの切除後直ぐに行っても良い。
【００４２】
以上のように、十字状部部分Ｂを操作簡単で迅速に十字結束できる十字結束バンドＡは、バンド主部２の途中部位に挿通孔７を有するターミナル部１を設けた構造の結束用バンドＶ１を用いているので、これと対をなす結束バンドＶ２としては既知のものを用いることができ、全体として廉価なものとすることが可能であるとともに、２部品という少ない部品で良好に十字結束が行える利点がある。そして、両バンド主部が交差する部分であるターミナル部にクランプ部を形成してあるので、両バンドの要となる部分がしっかりと安定的に支持部材にクランプできる効果が得られる。なお、ターミナル部１のバンド主部２に対する位置をロック部３に近づけて形成すれば、径の細い結束対象の十字結束に適し、先端２ａ近づけて形成すれば、径の太い結束対象の十字結束に適する十字結束用バンドＶ１が得られる。
【００４３】
この十字結束バンドＡの結束方法としては、挿通孔７に通されている結束バンドＶ２を先に結束し、その後に十字結束用バンドＶ１の結束を行う方法でも良い。また、十字結束用バンドＶ１の結束後に、その結束された状態の十字結束用バンドＶ１の挿通孔７に結束バンドＶ２を通し、それから結束バンドＶ２の結束を行う、という十字結束方法を行うことも可能である。
【００４４】
〔実施例２〕
実施例２による十字結束バンドＡは、図１０に示すように、一対の結束バンドがＸ状に一体化されたような単一の部品に構成されている。即ち、可撓性を有する第一のバンド主部４２と、この第一のバンド主部４２をその先端４２ａから挿通させて抜け止め状に係止させる挿通係止孔３ａを有してバンド主部４２の基端に連設される第一のロック部３と、第一のバンド主部４２の長手方向で中間部にその長手方向と交差する方向に伸びる第二のバンド主部５２が一体形成されるとともに、第二のバンド主部５２の一端には、その第二のバンド主部５２の先端５２ａから挿通させて抜け止め状に係止させる挿通係止孔３ａを有する第二のロック部３が形成されることにより、十字結束バンドＡが構成されている。
【００４５】
第一のバンド主部４２と第二のバンド主部５２とが交差する部分の下方には、この十字結束バンドＡを固定部材に嵌め込んで係止させるためのクランプ部１Ｂが一体形成されている。このクランプ部１Ｂは、前述した実施例１の十字結束用バンドＶ１のクランプ部１Ｂと同じ構造のものであり、スカート部８の上側に形成される平面視で円形を呈する当接部４が、第一及び第二のバンド主部４２，５２を一体化する部分に形成されている。第一のバンド主部４２と第二のバンド主部５２との交差角は９０度に設定されているが、７５度や６０度といった斜め交差状のものでも良い。クランプ部１Ｂの存在により、各バンド主部４２，５２は、ロック部３とクランプ部１Ｂとの間の基端部分４２ｋ，５２ｋと、クランプ部１Ｂより先端側の先端部分４２ｓ，５２ｓと、当接部４とから構成される構造となっている。
【００４６】
次に、実施例２による十字結束バンドＡを用いて、多数の電線ｒの集合体であるワイヤーハーネスＷの十字状部分Ｂを十字結束する十字結束構造は次のようである。なお、図７〜図９を参照して類推することにより、この説明専用の図面は省略する。すなわち、第一のバンド主部４２と第二のバンド主部５２との一方を、十字状部分Ｂに形成される四箇所の隅角部ｓｋ１〜ｓｋ４のうちの対向する隅角部ｓｋ１，ｓｋ３どうしに亘る状態でワイヤーハーネスＷに巻回させて対応する挿通孔３ａに通して結束し、かつ、第一のバンド主部４２と第二のバンド主部５２との他方を、四箇所の隅角部ｓｋ１〜ｓｋ４のうちの残りの対向する隅角部ｓｋ２，ｓｋ４どうしに亘る状態でワイヤーハーネスＷに巻回させて対応する挿通孔３ａに通して結束してある構造である。
【００４７】
以上のように、十字状部部分Ｂを操作簡単で迅速に十字結束できる十字結束バンドは、一対の結束バンドをＸ状の一体化したような１個の部品である十字結束バンドＡを用いているので、下記のような利点がある。例えば、２部品の組合せによって十字結束バンドとする場合では、結束作業前に結束バンドが挿通孔から抜け落ちるといった欠品のおそれがあるが、実施例２による十字結束バンドではそのようなおそれが無く、良好な状態で部品の運搬、納入が行えて、部品管理上で優れるものになるとともに、１部品という最少部品数で簡単で便利に十字結束が行える利点がある。そして、両バンド主部４２，５２が交差する部分であるターミナル部１にクランプ部１Ｂを形成してあるので、両バンド主部４２，５２の要となる部分がしっかりと安定的に支持部材にクランプできる効果が得られる。なお、ターミナル部１のバンド主部４２，５２に対する位置をロック部３に近づけて形成すれば、径の細い結束対象の十字結束に適し、先端４２ａ，５２ａ近づけて形成すれば、径の太い結束対象の十字結束に適する十字結束バンドＡが得られる。
【００４８】
〔実施例３〕
実施例３による十字結束バンドＡは、図１１に示すように、図１等に示す実施例１による十字結束バンドＡの十字結束用バンドＶ１のクランプ部１Ｂを有さず、挿通本体１Ａのみから成るターミナル部１を持つ十字結束用バンドＶ１を有する構造のものである。クランプ部１Ｂが省略され、かつ、挿通本体１Ａの形状が若干異なる以外は、実施例１によるものと基本的に同じである。
【００４９】
〔実施例４〕
実施例４による十字結束バンドＡは、図１２に示すように、図１０に示す実施例２による十字結束バンドＡのクランプ部１Ｂを持たない構造のものである。クランプ部１Ｂが省略されている以外は、実施例２によるものと基本的に同じである。
【００５０】
〔その他の実施例〕
十字結束用バンドＶ１としては、ターミナル部１が挿通本体１Ａのみから成るもの（図１１参照）や、実施例１によるクランプ部１Ｂとは異なる構造のクランプ部が挿通本体１Ａに形成されたものでも良い。尚、挿通孔７は、一対のバンド主部２，３２の最大交差角度が９０度未満でも良く、要はバンド主部２，３２どうしが互いに交差する状態に結束バンドＶ１のバンド主部３２が挿通できる孔であれば良い。また、結束対象Ｗとしては、ワイヤーハーネスの他、複数のパイプ材（配管）、通信ケーブル、紐、木材といった種々のものが可能である。
【００５１】
「十字状又は略十字状に」とは、直交や略直交状態は勿論、Ｘ状、ψ状、χ状、平行に近い交差角度の四差路状でも良く、要は４本の結束対象が一点で交わる形態の全てを包含するものと定義する。さらには、５本以上の結束対象が一点で交わる形態でも十字結束可能であり、このような五差路以上の箇所も本明細書においては「十字状部分」の範疇に含まれるものと定義する。
【図面の簡単な説明】
【００５２】
【図１】実施例１の十字結束バンドを示す全体斜視図
【図２】図１における十字結束用バンドのターミナル部を示し、（ａ）は平面図、（ｂ）は側面斜視図
【図３】図２のターミナル部を示し、（ａ）は正面図、（ｂ）は底面図
【図４】図２のターミナル部を示し、（ａ）は図３（ａ）のＢ−Ｂ線断面図、（ｂ）は図３（ａ）のＣ−Ｃ線断面図
【図５】十字結束用バンドに結束バンドが挿通された状態を示す平面図
【図６】内装板に係止固定された状態の十字結束用バンドを示す縦断面図
【図７】十字結束バンドのターミナルスタンドへの装着工程を示す作用図
【図８】十字結束バンドへのワイヤーハーネス十字状部分の載置状態を示す作用図
【図９】十字状部分が十字結束された状態を示す斜視図
【図１０】実施例２の十字結束バンドを示す全体斜視図
【図１１】実施例３の十字結束バンドを示す全体斜視図
【図１２】実施例４の十字結束バンドを示す全体斜視図
【符号の説明】
【００５３】
１                      ターミナル部
１Ｂ                    クランプ部
２，３２，４２，５２    バンド主部
２ａ，３２ａ，４２ａ    先端
３，３３                ロック部、第二のロック部
３ａ，３３ａ            挿通係止孔
４                      当接部
７                      挿通孔
２１                    支持部材
３２                    別のバンド主部
５２ａ                  他端
Ａ                      十字結束バンド
Ｂ                      十字状部分
ｒ                      電線
ｓｋ１                  第１隅角部
ｓｋ２                  第２隅角部
ｓｋ３                  第３隅角部
ｓｋ４                  第４隅角部
Ｖ１                    十字結束用バンド
Ｖ２                    結束バンド
Ｗ                      結束対象、ワイヤーハーネス
【図１】
2006149014.tif 000003
【図２】
2006149014.tif 000004
【図３】
2006149014.tif 000005
【図４】
2006149014.tif 000006
【図５】
2006149014.tif 000007
【図６】
2006149014.tif 000008
【図７】
2006149014.tif 000009
【図８】
2006149014.tif 000010
【図９】
2006149014.tif 000011
【図１０】
2006149014.tif 000012
【図１１】
2006149014.tif 000013
【図１２】
2006149014.tif 000014